(57)【要約】【構成】コピー機能とファクシミリ機能を備えた複合機において、どちらかの機能をユーザがあらかじめ選択し、その機能に関する操作表示のみを表示する。【効果】ユーザの都合に合わせた機能の選択をあらかじめ行うことができ、複合機使用時に、その都度機能の選択を行う必要がないので、複合機の使い勝手を向上させることができる。【選択図】　　図３
2004032259.tif 000002
【特許請求の範囲】
【請求項１】
複写機能とファクシミリ機能と操作表示手段とを備えた原稿読取記録装置において、
これらの機能の少なくとも一方を選択するための選択手段を設けて、該選択手段で一方のみの機能が選択された場合、該選択された機能のみに関する操作表示を行うように、前記操作表示手段を構成したことを特徴とする、原稿読取記録装置。
【請求項２】
上記選択手段により選択された機能が複写機能である場合、前記操作表示手段を、複写機能の操作表示画面で待機するように構成すること特徴とする、請求項１の原稿読取記録装置。
【請求項３】
複写機能とファクシミリ機能と電話回線接続部を備え、該複写機能とファクシミリ機能との操作表示をするための操作表示手段を備えた原稿読取記録装置において、
該電話回線が接続されているか否かを検出するための検出手段を設けて、電話回線が接続されていないことを検出した場合、複写機能のみに関する操作表示を行うようにしたことを特徴とする、原稿読取記録装置。
【発明の詳細な説明】
【０００１】
【発明の利用分野】
この発明は、ファクシミリや複写などに用いる、画像読取記録装置に関し、特に使用する機能の操作表示に関する。
【０００２】
【従来技術】
ファクシミリ機能や複写機能等を備えた複合機である原稿読取記録装置の用途は様々で、ユーザにより使用する機能が固定されていたり、それぞれの機能の使用頻度が全く異なる場合がある。例えば、装置を複写にのみ使用するユーザは、装置と電話回線とを接続していないこともある。このように、単に複写機としてのみ使用たいユーザにとって、装置を電話回線に接続していないにも関わらず、常時ファクシミリの操作表示がされていると、使い勝手が悪く不便である。
【０００３】
【発明の課題】
この発明の課題は、操作設定によりユーザの使用する機能の操作表示のみを行い、原稿読取記録装置の使い勝手を向上させることにある（請求項１）。
請求項２の追加の課題は、複写機能のみを使用するユーザに対し、複写機能に関する操作表示のみを行い、ユーザの便宜を考慮することにある（請求項２）。
この発明の課題はまた、ユーザが原稿読取記録装置をファクシミリ装置として使用する意図が無い場合、複写機能の操作表示のみを行い、原稿読取記録装置の使い勝手を向上させることにある（請求項３）
【０００４】
【発明の構成】
この発明は、複写機能とファクシミリ機能と操作表示手段とを備えた原稿読取記録装置において、これらの機能の少なくとも一方を選択するための選択手段を設けて、該選択手段で一方のみの機能が選択された場合、該選択された機能のみに関する操作表示を行うように、前記操作表示手段を構成したことを特徴とする（請求項１）。
【０００５】
好ましくは、上記選択手段により選択された機能が複写機能である場合、前記操作表示手段を、複写機能の操作表示画面で待機するように構成する（請求項２）。
【０００６】
この発明ではまた、複写機能とファクシミリ機能と電話回線接続部を備え、該複写機能とファクシミリ機能との操作表示をするための操作表示手段を備えた原稿読取記録装置において、該電話回線が接続されているか否かを検出するための検出手段を設けて、電話回線が接続されていないことを検出した場合、複写機能のみに関する操作表示を行うようにする（請求項３）。
【０００７】
【発明の作用と効果】
この発明では、複合機能を有する原稿読取記録装置において、単機能のみで使用したい場合に、操作設定により必要な機能のみを表示するようにした設定が可能になる。例えば複写機能のみを使用したいユーザに対しては、複写に関する操作表示で待機しているので、ユーザは使用の度に機能の選択を行う必要がなく、すぐに複写処理を行うことができる。ファクシミリ機能のみを使用したいユーザに対しても、同様にファクシミリに関する操作表示で待機する。このように、ユーザにとって必要な機能での操作表示のみを行い、余分な機能の表示は行わないので、使い勝手の良い原稿読取記録装置を提供できる（請求項１）。
【０００８】
特に請求項２では、ファクシミリではなく、複写専用機として使用するユーザに対し、複写機能に関する操作表示で待機し、ファクシミリ機能に関する操作表示は行わない。そのため、ユーザは複写機能の選択を行う必要がなく、複写に関する指示や複写枚数等の入力を直接行うことができる。例えば、テンキーへ「１０」と入力するとコピー枚数が１０枚であると解釈され、ファクシミリ機能への指示と間違って例えば短縮番号のＮＯ．１０と解釈されるおそれもない。このように、ユーザにとって操作が簡単で便利である。さらに、複写専用機としてのみ装置を使用するユーザに対し、ファクシミリに関する初期設定等の操作を不要にするので、ユーザは手軽に使用することができる。
【０００９】
この発明では、原稿読取記録装置が電話回線に接続がされていない場合、自動的に複写の操作表示のみを行うこととし、ユーザの便宜を図る（請求項３）。電話回線への接続がされていなければ、ユーザは複写機として使用する意図のはずなので、複写機としての使い勝手を良いものとできる。
【００１０】
【実施例】
図１〜図４に、実施例の複合機を例に、原稿読取記録装置を説明する。図１において、２は複合機で、Ｇ３ファクシミリ機能処理部４、コピー機能処理部６等を有し、クライアントの端末１２などに接続されている。Ｇ３ファクシミリ機能処理部４では、公衆電話回線網（ＰＳＴＮ）１４などを介してＧ３ファクシミリの送受信を行い、必要であれば他にＧ４ファクシミリの送受信を行うこともできる。コピー機能処理部６では原稿画像を読み取ってコピーし、なお、クライアントの端末（パーソナルコンピュータ）はインターネット１６に接続されているが、複合機２にインターネットファクシミリ機能を持たせても良い。
【００１１】
図２に、複合機２の構成を示す。１８は主制御装置としてのＣＰＵで、２０は公衆回線網などで回線を確立するためのネットワーク制御装置（ＮＣＵ）、２４はモデム、２６は読み取った画像や受信した画像などを記憶するための画像メモリ、２８は作業過程のデータや画像などを記憶するためのＲＡＭ、３０はプログラムなどを記憶するためのＲＯＭである。３２は表示部で、ＬＣＤなどを用いて、ユーザーに操作モードや操作のガイダンスなどを表示し、３４は操作部で、テンキーと表示部へのユーザーのタッチを検出するためのタッチセンサなどからなっている。操作部３４には、ファクシミリ機能やコピー機能の機能選択を行うための機能選択部３６設ける。３８はスキャナで原稿画像を読取、４０は記録部で、読み取った画像などをハードプリントする。４２はＰＣインターフェースで、クライアントの端末としてのパーソナルコンピュータ４４との間で画像データを送受信するためのものである。
【００１２】
図３を参照し、ユーザによる機能選択について説明する。ユーザは複合機に対し、自分の使用環境に応じた機能をあらかじめ選択することができる。例えばファクシミリ機能が不要で、コピー機として使用したい場合があり、その反対にファクシミリ機としてのみ使用したい場合等がある。そこで、ユーザは機能選択を行い、複合機を使用する機能に設定する。複合機の出荷時には、機能設定のためのフラグ、すなわちファックスフラグとコピーフラグは通常オンであり（ステップ１）、フラグの設定状態を変更することにより、使用する機能を選択することができる。そして、ユーザは図示しない仕様設定画面を用い、ファックス機能をオフすると、ファックスフラグをオフに設定し（ステップ２，３）、コピー機能がオフされるとコピーフラグをオフに設定する（ステップ４，５）。なお、ファックス機能がオフされず、かつコピー機能もオフされないときは、出荷時の状態のままである。
【００１３】
図４に、この実施例での表示部３２の表示画面を示す。機能選択部３６でコピー機能のみを選択すると（１）のコピー操作表示画面５０が、ファクシミリ機能のみを選択すると（２）のファクシミリ操作表示画面５２が表示される。どちらの機能も使用するように設定されている場合は、コピーかファクシミリかの選択画面が表示される。図の表示画面５０，５２は、それぞれコピー機能あるいはファクシミリ機能を選択したときの待機画面であり、ユーザはこれらの画面から直接、それぞれの機能についての指示を行うことができる。また、例えば画面５０の表示がされているときにテンキーから１０を入力すると、コピー枚枚が１０枚であると解釈され、画面５２が表示されているときに同様にテンキーを操作すると、例えば送信先ファクシミリ番号の短縮番号と解釈される。このようにユーザが使用したい機能の操作画面のみを表示するので、コピーかファクシミリかを最初に選択する必要が無く、表示画面５０，５２を簡明にでき、誤操作も少なくできる。なお両方のフラグがオンされている場合、在来のように、表示部はコピーかファクシミリかの選択画面を表示して待機する。
【００１４】
このように実施例では、ユーザが使用する機能をあらかじめ設定でき、選択された機能のみに関する操作表示を行う。すなわち、実施例ではユーザが使用したい機能にしぼって複合機の操作設定を行うことができ、その機能の操作表示のみを表示する。また使用する機能をあらかじめ選択しておくことにより、選択しない機能に関する操作表示が不要になり、複合機の使い勝手が良くなる。また特定の機能に関する入力のみを行えばよいので、操作間違いやこれに伴う誤動作も防止することができる。
【００１５】
図５に、複合機が電話回線に接続されているかどうかを検出する、第２の実施例を示す。この実施例では、コピーフラグは強制的にオンであるものとし、電話回線への接続はＮＣＵやモデムが回線に接続されているかを検出すること等で行う。そして電話回線に接続されているか否かで、ファクシミリ機能のオン／オフを行う。またこの実施例では、図２の機能選択部３６を設けなくても良く、複合機であることからコピー機能はオンに設定されているものとする。
【００１６】
図において、ダイアルトーンを検出したときは、ファックスフラグをオンに設定する（ステップ１０，１１）。電話回線に接続していなければ、ファックスフラグはオフ設定である（ステップ１２）。そして、ファックスフラグがオンであればファクシミリ受信を行うため、表示部にファクシミリの操作表示を表示して待機し、ファクシミリデータを受信したときはファクシミリ処理を実行する（ステップ１３，１４）。このときファックスモードが選択され（ステップ１５）、ファックスフラグがオンであれば（ステップ１６）、そのままファクシミリ操作表示を表示して待機する（ステップ１４）。ファックスモードボタンがオンであるにもかかわらず、ファックスフラグがオフであるときは、ファックスモードでの使用をユーザが選択したが回線は接続されていないことを意味し（ステップ１５，１６）、ユーザに対し「回線を接続して下さい」との指示を表示する（ステップ１７）。
【００１７】
電話回線への接続を検出せず、ファックスフラグがオフであれば（ステップ１２，１３）、操作設定はコピー機として使用する設定であるので、表示部にコピーの操作表示を表示して待機し、ユーザはコピー機として使用する（ステップ１８）。なお、コピー機として待機していても、ユーザがファックスモードボタンをオンすることにより（ステップ１５）、ファックスとしての使用を選択することができる。ファックスモードボタンがオフでコピーモードがオンであるときは、継続してコピー機として待機する（ステップ１５，１９，１８）。ファックスモードボタンをオフに設定したにもかかわらず、コピーモードボタンもオフに設定したときは、どちらの機能も選択されていないので、「モードを選択して下さい」等の表示を、ユーザに対して行う（ステップ１５，１９，２０）。ユーザはステップ１７やステップ２０の表示に従い、回線の接続やモードの選択等の処理を行い、複合機は例えばステップ１３に戻りコピー待機画面を表示する（ステップ１８）。
【００１８】
図６に、図５の実施例の変形例を示す。この変形例では、コピー機能を用いるかどうかはユーザが選択し、ファックスフラグのオン／オフは、電話回線の接続の検出により決まる。図において、複合機が電話回線に接続されており、回線リレーが閉結されダイアルトーンを検出したときは、ファックスフラグをオンに設定する（ステップ３０，３１）。電話回線に接続していなければ、ファックスフラグはオフ設定する（ステップ３２）。そしてファックスフラグがオンであれば、操作設定はファクシミリ機としても使用する設定であるので、例えば表示部にファクシミリの操作表示を表示して待機し、ファクシミリデータを受信したときはファクシミリ処理を実行する（ステップ３３，３４）。
【００１９】
ファックスフラグがオフでコピーフラグがオンの時は、操作設定はコピー機としての設定となるので、表示部にコピーの操作表示を表示して待機し、ユーザによりコピー機として使用され、コピー処理を実行する（ステップ３３，３５，３６）。そして、ファックスモードボタンがオンされると（ステップ３７）、ファックスフラグがオン設定であるかをチェックし（ステップ３８）、ファックスフラグがオン設定であれば、ファックス待機の操作表示をする（ステップ３４）。ファックスモードが選択されて、ファックスフラグがオフ設定であれば、ユーザに対し「回線を接続して下さい」との旨の指示を表示する（ステップ３７，３８，３９）。
【００２０】
ファックスモードボタンがオフされており、コピーモードボタンもオフであれば、モード選択がされていないので、ユーザに対し「モードを選択して下さい」との表示を行う（ステップ３７，４０，４１）。ファックスモードボタンがオフされており、コピーモードボタンがオンであれば、次にコピーフラグがオンかをチェックする（ステップ３７，４０，４２）。コピーモードボタンがオンでコピーフラグがオンであれば、コピー待機の操作表示に戻る（ステップ３６）。一方、コピーモードボタンがオン時にコピーフラグがオフであれば、モード設定とフラグの設定とが矛盾するので、「設定をやりなおしてください」との表示を行う（ステップ４３）。
【００２１】
ユーザはステップ３９やステップ４１、またはステップ４３の表示に従い、回線の接続やモードの選択、設定のやり直し等の処理を行う。複合機は例えばステップ３３に戻り、ファックス待機画面あるいはコピー待機画面を表示する（ステップ３４，３６）。
【００２２】
図７に、図５の実施例及び図６の変形例での表示画面５４，５６を示す。コピーモードからファックスモードへの切り替えはファックスモード切替ボタン５８で、ファックスモードからコピーモードへの切り替えはコピーモード切替ボタン６０で行うことができる。表示画面５４，５６は、それぞれコピー機能あるいはファクシミリ機能を選択したときの待機画面であり、ユーザはこれらの画面から直接、それぞれの機能についての指示を行うことができる。また、例えば画面５４の表示がされているときにテンキーから１０を入力すると、コピー枚枚が１０枚であることを意味し、画面５６が表示されているときは、同様のテンキーからの入力は、例えば送信先ファクシミリ番号の短縮番号を意味する。ユーザは複合機をコピー専用機として使用することが多く、コピー時に表示画面５４から操作できることは便利で、誤操作も少なくできる。
【００２３】
このように、第２の実施例や変形例では、ダイアルトーンを検出すればファクシミリとして動作する。コピー機能はユーザがオンに設定しても良いが、強制的にオンにしてもよい。電話回線に接続されていない場合、待機状態での操作表示はコピー機能の表示で、ユーザはコピー操作を簡単に行え、誤動作させるおそれもない。そして電話回線に接続されダイアルトーンを検出すれば、ファックスフラグがオンに設定されるので、ユーザはファクシミリ機能を使うことができる。このように、ユーザにとって複合機の使い勝手が良くなる。
【図面の簡単な説明】
【図１】実施例の複合機の使用環境を示す図
【図２】実施例の複合機の構成を示す図
【図３】実施例でのユーザによる機能選択のアルゴリズムを示すフローチャート
【図４】実施例の複合機での表示画面を示し、
（１）はコピー機能の表示画面を示し、
（２）はファクシミリ機能の表示画面を示す
【図５】第２の実施例での、電話回線の接続検出を行う場合のアルゴリズムを示すフローチャート
【図６】変形例での、コピー機能設定時に、電話回線の接続検出を行う場合のアルゴリズムを示すフローチャート
【図７】第２の実施例の複合機の表示画面を示す図
【符号の説明】
２　　　　　複合機
４　　　　　Ｇ３ファクシミリ機能処理部
６　　　　　コピー機能処理部
１２　　　　クライアントの端末
１４　　　　公衆電話回線網（ＰＳＴＮ）
１６　　　　インターネット
１８　　　　主制御装置（ＣＰＵ）
２０　　　　ネットワーク制御装置（ＮＣＵ）
２４　　　　モデム
２６　　　　画像メモリ
２８　　　　ＲＡＭ
３０　　　　ＲＯＭ
３２　　　　表示部
３４　　　　操作部
３６　　　　機能選択部
３８　　　　スキャナ
４０　　　　記録部
４２　　　　ＰＣインターフェース
４４　　　　パーソナルコンピュータ
５０，５４　コピー機能選択時の操作表示画面
５２，５６　ファクシミリ機能選択時の操作表示画面
５８　　　　ファックスモード切替ボタン
６０　　　　コピーモード切替ボタン
【図１】
2004032259.tif 000003
【図２】
2004032259.tif 000004
【図３】
2004032259.tif 000005
【図４】
2004032259.tif 000006
【図５】
2004032259.tif 000007
【図６】
2004032259.tif 000008
【図７】
2004032259.tif 000009